(57)【要約】【課題】本発明は，麻酔ガスの供給に伴ういくつかの技術的困難を解決し，小動物に対しても容易に，しかも安全確実に挿管を行うことを可能にする動物用麻酔チューブを提供することを目的とする。【解決手段】鼻孔，鼻腔が湾曲し，狭窄する構造をもつ動物，例えばげっ歯類に対して粘膜を傷つけず，経鼻的に麻酔チューブを挿管し，目的とする部位までチューブ先端部の麻酔ガス供給孔を到達し，咽頭部に効率よく麻酔ガスを供給することによって，口腔内への歯科的，外科的処置を可能にするものである。さらに本研究では挿管する麻酔チューブの素材と形状に工夫を施したものである。さらに、バルーンを設けたものも含まれる。【選択図】　　　　図１
2004081370.tif 000002
【特許請求の範囲】
【請求項１】
麻酔ガスを供給する本体部と先端部とからなる動物用麻酔チューブ。
【請求項２】
先端部が本体部より細く形成する請求項１記載の動物用麻酔チューブ。
【請求項３】
先端部が最先端部と麻酔ガスの供給孔を有する請求項１または請求項２に記載の動物用麻酔チューブ。
【請求項４】
最先端部が球面状である請求項１から請求項３のいずれかに記載の動物用麻酔チューブ。
【請求項５】
先端部の素材が本体部の素材よりも柔軟な素材でコーティングされた請求項１から請求項４のいずれかに記載の動物用麻酔チューブ。
【請求項６】
先端部に麻酔ゼリーなどを染み込ませることが可能な柔軟なスポンジ様素材をコーティングした請求項１から請求項５のいずれかに記載の動物用麻酔チューブ。
【請求項７】
バルーンを設けた請求項１から請求項６のいずれかに記載の動物用麻酔チューブ。
【請求項８】
麻酔チューブを動物の鼻孔から挿管し，咽頭部で固定する麻酔方法。
【発明の詳細な説明】
【０００１】
【発明が属する技術分野】
本発明は，動物の麻酔方法に関する。より詳しくは，動物ガス麻酔時に際しての経鼻麻酔チューブに関する。
【０００２】
【従来の技術】
特開平１０‐２４３９５０（以下，先行技術１という）には，「挿管補助具は，市販の人間用気管内チューブの先端部に鉛筆キャップのように嵌め込んで使用する。使用中に脱落すると摘出困難であるから，気管内チューブ先端部の外面に接着したり，溶着したり，磁石で固定したりするなどの脱落防止措置を講じることが望ましい。あるいは，既存の気管内チューブの先端部を改良し，略円錐状の挿入部を一体成形することもできる（先行技術２の第００１１段落）」の記載がある。特開平２００１‐３３３９８２（以下，先行技術２という）には，「麻酔ガス供給チューブに連結されるチューブ接続端部と，該接続端部から末広がりに延長して開口する円錐状開口部とから成り，該円錐状開口部の開口端部を動物の口部に被せて麻酔をかける動物用麻酔ガス吸入マウスにおいて，該麻酔ガス吸入マウスは，透明又は半透明の部材で，かつ，口部にフィットする柔らかさを有し，かつ，切断可能な部材で成されていることを特徴としたものである。略円錐状或いはラッパ状に開口する円錐状開口部で，周知のように，該円錐状開口部の先端開口部を，動物の口部に押し当て，前述の図示しない麻酔ガス源からの麻酔ガスを動物の口腔内に入れるものである（第０００５〜０００７段落）」の記載がある。
【０００３】
【発明が解決しようとする課題】
しかしながら、先行技術１の気管内チューブ挿入方法は，イヌやネコなどの中型動物には時として用いられるが，挿管には熟練技術を要し，不確実であるという問題点がある。先行技術２の動物用麻酔ガス吸入マウスでは口腔内への処置ができないという問題点がある。
【０００４】
従来用いられる口腔からの気管内挿管用に使用されるチューブ，たとえば先行技術１の気管内挿管チューブでは，挿入部が円錐状で，鋭利であるために，湾曲した鼻腔内を通過させることはできないという問題点がある。さらにげっ歯類などの小動物では視野，術野ともに極めて小さく狭いために，喉頭部を観察しながらの挿管は中型動物以上に困難であり，気管チューブの気管への挿管は困難であるという問題点がある。
【０００５】
また，先行技術１の気管内挿管チューブに見られるような口腔からの挿管では口腔内をチューブが通過するために，歯科，あるいは歯科口腔外科，鼻咽喉科的処置等の口腔・咽頭，喉頭部への諸処置が妨げられるという問題点がある。
【０００６】
あるいは従来技術２に見られるような動物の口部に被せて麻酔をかける動物用麻酔ガス吸入マウス（マスク）によるガス供給では，すべての口腔内および口腔周囲に対する処置が実施不可能になるという問題点がある。また，操作時に不可避的に麻酔ガスが漏出するために麻酔深度を精密にコントロールすることが困難であるという問題点がある。
【０００７】
あるいはチャンバーに麻酔ガスを充満させ，その中で麻酔を行う方法では，麻酔深度に応じて麻酔ガスの濃度をコントロールするためにチャンバー内の麻酔ガスの濃度全体を変えねばならず，高価な麻酔ガスを必要以上使用することになって，経済的効率が悪いという問題点がある。
【０００８】
上記の問題点を解決するために，経鼻的に挿管する方法が考えられるが，口腔周囲は四肢などに比べて反射を誘発し易いため，挿管時の鼻腔への刺激は最小限度に抑える必要がある。げっ歯類のような小動物では鼻腔が狭く，鼻孔及び鼻腔の形態が複雑で，鼻出血し易い。これらの問題があるので，従来の技術では，動物，特に小型動物に経鼻挿管を行うことは困難であるという問題点がある。
【０００９】
本発明は，麻酔ガスの供給に伴うこれらの技術的困難を解決し，小動物に対しても容易に，しかも安全確実に挿管を行うことを可能にする動物用麻酔チューブを提供することを目的とする。
【００１０】
【課題を解決するための手段】
本願発明者は，鋭意研究の結果，経鼻挿管を可能にする動物用麻酔チューブに関する発明を完成し，上記課題を解決した。すなわち，
本発明は，鼻孔，鼻腔が湾曲し，狭窄する構造をもつ動物，例えばげっ歯類に対して粘膜を傷つけず，経鼻的に麻酔チューブを挿管し，目的とする部位までチューブ先端部の麻酔ガス供給孔を到達し，咽頭部に効率よく麻酔ガスを供給することによって，口腔内への歯科的，外科的処置を可能にするものである。さらに本研究では挿管する麻酔チューブの素材と形状に工夫を施したものである。本発明は，経鼻挿管チューブの構造，形態および素材を工夫することによって，鼻孔，鼻腔を損傷せず，確実に挿管可能な経鼻挿管を実現したものである。
【００１１】
本発明にいう動物用麻酔チューブとは，動物に対して経鼻挿管をするための麻酔用チューブをいう。ここでいう動物は，ウサギ，奇蹄類（ウマなど），偶蹄類（イノシシ，反すう動物，ブタ，ラクダ科など），げっ歯類（ラット，モルモット，マウスなど），食虫類（トガリネズミなど），食肉類等（イヌ，ネコなど）の哺乳類である。
【００１２】
本発明にいう麻酔用チューブとは，経鼻的にチューブを挿管し，麻酔マスクを使用することなく，口腔，および口腔周囲器官，組織へのアプローチを可能にするチューブである。
【００１３】
本発明の動物用麻酔チューブは，麻酔ガスを供給する本体部と先端部とからなる。麻酔ガスを供給するチューブである本体部と，挿管を容易にし，挿管後のガス供給とチューブを安定する役割を持つ先端部からなる。
【００１４】
本発明の麻酔チューブ本体部は，麻酔する動物の鼻孔，鼻腔を通過するために十分に細く柔軟で，挿管に必要な適度の剛性をもつ素材から作られる。具体的には，ポリ塩化ビニル，シリコン，ポリウレタン，形状記憶樹脂等の高分子素材が挙げられるが，そのほかに生体への害がなく，柔軟性，弾力性と適度の剛性をもつ素材であれば何でもよい。本発明の動物用麻酔チューブの先端部が本体部より細く形成するものであり，先端部が最先端部と麻酔ガスの供給孔からなるものであり，最先端部が球状であるものを含む。
【００１５】
本発明の先端部分で使用する素材は柔軟性と弾力性を有する素材である。具体的には，高弾性シリコンが挙げられるが柔軟性，弾力性をもつ素材であれば何でもよい。もしくは，効率良くリドカインなどの表面麻酔ゼリーを染み込ませることができるスポンジ様の多孔質素材等でもよい。
本発明の動物用麻酔チューブは、前記の動物用麻酔チューブにバルーンを設けたものも含む。
【００１６】
本発明の経鼻挿管法は，麻酔チューブを鼻孔から挿管し，咽頭部に麻酔ガスの供給孔を設置する方法である。
【００１７】
【発明の実施の形態】
本発明の実施の形態を以下，図面に基づいて詳細に説明する。本発明の麻酔チューブを側面から描いた図を図１に示す。
本発明の麻酔チューブは先端部１１とチューブ本体部１２からなり、これにバルーン２４をさらに取り付けたものである。先端部１１は，最先端部２１，麻酔ガスの供給孔２２，先端部本体２３からなる。
【００１８】
先端部本体２３をチューブ本体部１２よりもやや細く作ることによって，挿管時に，湾曲した鼻孔，鼻腔を通過させることが容易になる。また，本体部，先端部ともに鼻孔，鼻腔を通過し，自発呼吸を妨げないように十分に細くなければならない。このときに単に細いというのみでは，表面積の減少したチューブ先端によって鼻腔粘膜は損傷しやすくなる。これを解決するために最先端部は２１に示したように丸く球状に形成する。
【００１９】
最先端部２１は，球状に形成され，高弾性シリコン等の滑沢で弾力性の高い素材でコーティングされており，最先端部が鼻孔および鼻腔を通過する際に粘膜を損傷しにくい構造になっている。動物の鼻孔は直線的ではなく，くの字に湾曲しながら鼻腔へと続いている。また，鼻腔粘膜は外的刺激が加わると出血し，肥厚するため，鼻腔が狭窄して挿管が困難になり，自発呼吸を妨げる。最先端部が鼻粘膜に刺激を与えにくい構造にすることによってこれを防ぐことができる。
【００２０】
麻酔ガスの供給孔２２は，先端部本体２３の側面に位置し，ガスを供給する際に先端方向へのガス圧を発生しない。これによって自発呼吸を妨げず，また，食道へガスを吹き込む事故を防ぐことができる。また，最先端部にガス供給孔を設けないことによって，挿入時に最も鼻粘膜との摩擦に曝される部分に凹部を作らないことによってよりスムーズに挿管することができる。なお，供給孔の数は１〜１０個程度，大きさはチューブの直径の３０％から１０％程度で作り，比較的大型の動物を麻酔する際などのように麻酔ガスの供給量が多い場合など，供給孔の数が多くなるときはチューブ自体の強度を損ねないように側面に散在させて設置する。チューブ本体部１２は動物の鼻孔，鼻腔よりも細く作られている。これによって鼻孔，鼻腔を通過する際の刺激は最小限度にすることができる。
【００２１】
挿管の際にはリドカインゼリーなどの潤滑効果と粘性をもつ表面麻酔ゼリーを用いることによって摩擦は少なくなり，麻酔薬の効果によって刺激による反射が起きにくくなる。
【００２２】
麻酔ガスの供給は２２の供給孔から行う。先端部にガス供給孔を設けると気管方向へのガス圧が生じて自発呼吸を妨げるだけではなく，食道へ麻酔ガスを吹き込む事故を起こし易くなるが、２２によって、これを防いでいる。また，最先端部は挿入時に最も鼻粘膜との摩擦に曝される部分であり，凹部を作ると摩擦が生じてしまう。そこで供給孔は最先端部からやや離れた側面に設置し，ガスはチューブ側面に向かって供給するようにする。
【００２３】
（経鼻挿管の方法）
先端部に表面麻酔ゼリーを塗布する。
１．多くの動物では正中矢状面に対して外側に向かって開口した鼻孔があるが，ここにチューブの最先端部を挿入する。チューブの先端部，本体部ともに動物の矢状面方向へ方向を修正し，鼻腔に対してまっすぐ，徐々に挿管する。このとき鼻腔内に抵抗がある場合は，挿管するチューブの太さをより細いものに交換する。十分に注意し鼻粘膜に刺激を与えないようにすることによって，鼻出血，鼻粘膜の肥厚を引き起こし，挿管が困難になり，挿管後も自発呼吸を妨げるという自体を防ぐことができる。
２．管は先端部が動物の咽頭部に達するところまで行う。
３．げっ歯類などの小型動物でチューブの固定が必要な場合，図１の２３に示したバルーンを鼻腔内に使用して固定する。
【００２４】
〔実施例１〕（チューブの一例）
本発明の麻酔チューブを側面から描いた図を図１に示す。
本発明の麻酔チューブは先端部１１と本体部１２からなり、これにバルーン２４をさらに取り付けたものである。
先端部１１は，最先端部２１，麻酔ガスの供給孔２２，先端部本体２３からなる。
チューブ本体部１２にはバルーン２４が設置されている。
先端部本体２３を本体部１２よりもやや細く作ることによって，挿管時に，湾曲した鼻孔，鼻腔を通過させることが容易になる。
最先端部２１は，高弾性シリコン等の弾力性の高い素材でコーティングされており，最先端部が鼻孔および鼻腔を通過する際に粘膜を損傷しにくい構造になっている。
【００２５】
〔実施例２〕（麻酔の一例）
実施例１のチューブを用いて８週齢ラットに適用した。このときの本体部の太さは直径０．８ｍｍ，最先端部の直径は０．７ｍｍであった。予め密閉空間にて５％セボフルレンで麻酔したラットに対して，図１の麻酔チューブを片側の鼻孔に対して経鼻挿管した。挿管前に先端部１１全体にキシロカインゼリーを塗布して鼻腔から２５ｍｍ挿入し，咽頭部に先端部が留まるように設置した。１０匹のラットに対してそれぞれ一回経鼻挿管を試みた。純酸素にセボフルレンを３−４％気化して，毎分０．５Ｌで供給し，呼吸管理は自発呼吸を期待し，特に人工的な処置をしなかった。全てのラットで挿管が成功し，安定した深麻酔に成功した。
【００２６】
〔比較例１〕（麻酔の一例）
８週齢ラットにラットに口部と鼻孔を覆う麻酔マスクを装着し，自発呼吸下で４０分間の麻酔を試みた。このときは口腔内への処置を行うことはできなかった。必要となった麻酔ガスの量は実施例２と同じ濃度の麻酔ガスを用いたときに必要な麻酔ガスの供給量は毎分３Ｌ以上にも及び，麻酔レベルのコントロールは困難であった。
【００２７】
〔比較例２〕（麻酔の一例）
比較するための簡易な麻酔チューブの側面図を図３に示す。チューブは先端部と本体部に分けず，最先端部２１を丸め，供給部を先端と側面の両方に設置するのみの構造とした。本体は全体がポリ塩化ビニルとした。このときの本体部の太さは直径１．０ｍｍであった。
予め密閉空間にて５％セボフルレンで麻酔したラットに対して，図３の麻酔チューブを片側の鼻孔に対して経鼻挿管した。挿管前に最先端部２１全体にキシロカインゼリーを塗布して鼻腔から２５ｍｍ挿入し，咽頭部に先端部が留まるように設置した。８週齢ラット２０匹のラットに対して一回の経鼻挿管を試みた。純酸素にセボフルレンを３−４％気化して，毎分０．２５Ｌで供給し，呼吸管理は自発呼吸を期待し，特に人工的な処置をしなかった。チューブ自体は鼻孔，鼻腔に比べて十分に細かったものの，４匹のラットで挿管時に鼻腔との擦過によって鼻出血を起こし，粘膜が肥厚し，挿管できなくなった。１１匹のラットでは食道に気圧がかかったために，胃へ麻酔ガスを吹き込む事故が起きたため，麻酔を中止した。残りの少数のラットでは挿管に成功したが，挿管時とその後の操作時にチューブが動いて固定できなかった。
【００２８】
〔実施例３〕（チューブの一例）
本発明の麻酔チューブを側面から描いた図を図２に示す。
本発明の麻酔チューブは先端部１１と本体部１２からなる。
先端部１１は，最先端部２１，麻酔ガスの供給孔２２，先端部本体２３からなる。先端部の形状は実施例１と異なり，先端に行くにしたがって徐々に細くなっている。
最先端部２１は，高弾性シリコン等の弾力性の高い素材でコーティングされており，最先端部が鼻孔および鼻腔を通過する際に粘膜を損傷しにくい構造になっている。
バルーンは設置しなかった。
【００２９】
〔実施例４〕（麻酔の一例）
実施例３のチューブを用いて４匹の１０週齢モルモットに経鼻挿管し，先端部を咽頭部に設置した。このときの本体部の太さは直径１ｍｍ，最先端部の直径は０．８ｍｍであった。予め密閉空間にて５％エンフルレンで麻酔したラットに対して，図１の麻酔チューブを片側の鼻孔に対して経鼻挿管した。６０分間深麻酔を維持し，歯の削合等の，刺激を伴う口腔内操作を毎日２週間行った。純酸素に３−５％のエンフルレンを３−４％気化し，毎分０．５〜１Ｌ供給し，呼吸管理は自発呼吸を期待し，特に人工的な処置をしなかった。口腔への刺激を伴う操作に対しても不動化は維持され，全ての個体が１週間生存した。ただしバルーンを設置した際にくらべ，操作時にチューブが動きやすかった。
【００３０】
〔実施例５〕
実施例４のチューブを用いて２匹のネコに経鼻挿管し，先端部を咽頭部に設置した。６０分間深麻酔を維持し，口腔内の観察と操作を行った。３−５％のイソフルレンを毎分１．０−１．５Ｌ供給し，呼吸管理は自発呼吸を期待し，特に人工的な処置をしなかった。口腔への刺激を伴う操作に対しても麻酔レベルは維持され，全ての個体が生存した。ただし実施例５と同様にバルーンを設置した際にくらべ，操作時にチューブが動きやすかった。
【００３１】
〔実施例６〕
２匹のウサギに経鼻挿管し，先端部を咽頭部に設置した。予め麻酔マスクにて５％セボフルレンで麻酔したウサギに対して，図１の麻酔チューブを片側の鼻孔に対して経鼻挿管した。このときの本体部の太さは直径１．５ｍｍ，最先端部の直径は１ｍｍであった。６０分間深麻酔を維持し，口腔内の観察を行った。３−５％のセボフルレンによって麻酔を維持することが可能であり，口腔への刺激に対しても麻酔レベルは維持された。
【００３２】
【発明の効果】
以上説明したように本発明により，容易な経鼻挿管を可能にする経鼻挿管チューブが得られる。必要な麻酔ガスの供給量はガスマスク（マウス）を用いたときよりも減らすことができ，麻酔のコントロールも容易であった。また，口腔内への処置を行うことも可能になった。
【図面の簡単な説明】
【図１】本発明のうちバルーンを設置した麻酔チューブの側面図である。
【図２】本発明のうちバルーンを設置しない麻酔チューブの側面図である。
【図３】従来使用されている麻酔チューブの側面図である。
【符号の説明】
１１　先端部
１２　チューブ本体
２１　最先端部
２２　ガス供給孔
２３　先端部チューブ
２４　バルーン
【図１】
2004081370.tif 000003
【図２】
2004081370.tif 000004
【図３】
2004081370.tif 000005